(57)【特許請求の範囲】
【請求項１】
上面が陳列品載置面に形成された台部と、それ自体の前側縁部を上記台部の後側縁部に沿わせた状態で上記台部の後側に倒伏姿勢で配設され上記前側縁部を中心軸として起立自在な平板状の姿勢可変板と、陳列品挿通穴が穿設された平板状の広告用可撓板と、起立姿勢にある姿勢可変板を保持する姿勢保持手段とを備え、上記広告用可撓板の前部を台部の上面に弾性片を介して取り付けるとともに、上記広告用可撓板の後部を姿勢可変板に取り付け、この姿勢可変板を起立させて広告用可撓板を上がり傾斜姿勢にした状態で姿勢保持手段で保持し、上記上がり傾斜姿勢で広告用可撓板の陳列品挿通穴が台部の陳列品載置面に対峙するようになっていることを特徴とする陳列台。
【請求項２】
上記弾性片が平行四辺形状角筒体に形成され、この平行四辺形状角筒体の相対峙する両側面が、この平行四辺形角筒体の軸心に対し直交する方向に相対移動自在に構成され、上記両側面のうち、一方の側面が上記台部の上面に固定され、他方の側面が上記広告用可撓板の前部の下面に固定されている請求項１記載の陳列台。
【請求項３】
上記姿勢保持手段が、姿勢可変板の下面に接着された固定板と、この固定板の上端部から折り曲げ自在に延設された支受板と、上記固定板の下端部から折り曲げ自在に延設された係合板とからなり、上記支受板に係合穴が穿設され、上記係合板に、上記係合穴に着脱自在に係合する係合片が突設されている請求項１または２記載の陳列台。
【発明の詳細な説明】
【０００１】
【発明の属する技術分野】
本発明は、化粧料（テスター用化粧料等を含む）等の各種の陳列品を店頭等に陳列する陳列台に関するものである。
【０００２】
【従来の技術】
従来から、口紅等の各種化粧料を店頭等に陳列する場合には、図９に示すような陳列台４１がよく用いられている。この陳列台４１は、ひな壇形に形成されており、各段の上面に多数のテスター品挿通孔４２が穿設されている。そして、サンプル保持体４３の下側に口紅等のテスター品（試供品）４４が保持され、上側に色見本ダミー４５が取着されたテスター化粧品４６を多数（各色ごとに）用意し、上記テスター品挿通孔４２に、上記テスター化粧品４６の下部（テスター品４４の部分）を挿通させて陳列台４１上に載置し、多数並べて陳列するようにしている。
【０００３】
ところが、上記の陳列台４１はひな壇形に形成されているため、嵩張り、輸送時や保管時等に広いスペースが必要になる。また、上記の陳列台４１以外にも、各種の陳列台があるが、嵩張るものが多く、上記の陳列台４１と同様に、輸送時や保管時等に広いスペースが必要になる。そこで、上記の陳列台４１やそれ以外の陳列台において、これを複数の部品に分解可能にし、陳列時に組み立てるようにしたものがある。この場合には、分解した状態で輸送や保管等を行うことができ、輸送時や保管時等に広いスペースを必要としなくなるという利点がある。
【０００４】
【発明が解決しようとする課題】
しかしながら、上記の陳列台４１やそれ以外の陳列台において、これを複数の部品に分解可能にしたものでは、部品点数が増加し、在庫管理等の管理面が複雑化するうえ、複雑な組立作業が必要になるという問題がある。
【０００５】
本発明は、このような事情に鑑みなされたもので、１つの部品で構成され、組立作業が非常に簡単な陳列台の提供をその目的とする。
【０００６】
【課題を解決するための手段】
上記の目的を達成するため、本発明の陳列台は、上面が陳列品載置面に形成された台部と、それ自体の前側縁部を上記台部の後側縁部に沿わせた状態で上記台部の後側に倒伏姿勢で配設され上記前側縁部を中心軸として起立自在な平板状の姿勢可変板と、陳列品挿通穴が穿設された平板状の広告用可撓板と、起立姿勢にある姿勢可変板を保持する姿勢保持手段とを備え、上記広告用可撓板の前部を台部の上面に弾性片を介して取り付けるとともに、上記広告用可撓板の後部を姿勢可変板に取り付け、この姿勢可変板を起立させて広告用可撓板を上がり傾斜姿勢にした状態で姿勢保持手段で保持し、上記上がり傾斜姿勢で広告用可撓板の陳列品挿通穴が台部の陳列品載置面に対峙するようになっているという構成をとる。
【０００７】
すなわち、本発明の陳列台は、上面が陳列品載置面に形成された台部と、それ自体の前側縁部を上記台部の後側縁部に沿わせた状態で上記台部の後側に倒伏姿勢で配設され上記前側縁部を中心軸として起立自在な平板状の姿勢可変板と、陳列品挿通穴が穿設された平板状の広告用可撓板と、起立姿勢にある姿勢可変板を保持する姿勢保持手段とを備えており、上記広告用可撓板の前部を台部の上面に弾性片を介して取り付けているとともに、上記広告用可撓板の後部を姿勢可変板に取り付けている。また、上記姿勢可変板を起立させて広告用可撓板を上がり傾斜姿勢にした状態で姿勢保持手段で保持すると、上記上がり傾斜姿勢で広告用可撓板の陳列品挿通穴が台部の陳列品載置面に対峙するようになっている。このような、本発明の陳列台では、輸送時や保管時等には、姿勢可変板を倒伏姿勢にすることを行う。これにより、陳列台全体が平べったい形状になり、広いスペースを必要としなくなる。また、陳列時には、姿勢可変板を起立させて姿勢保持手段で保持することにより本発明の陳列台を組み立てたのち、陳列品を広告用可撓板の陳列品挿通穴に挿通し、台部の陳列品載置面に載置することを行う。これにより、広告用可撓板に記載された広告とともに、陳列品を台部上に陳列することができる。このとき、上記組立作業は、姿勢可変板を起立させて姿勢保持手段で保持するだけでよく、非常に簡単である。しかも、上記姿勢保持手段を台部，姿勢可変板および広告用可撓板の少なくとも１つに固定することにより、１つの部品で構成することができる。
【０００８】
本発明では、上記広告用可撓板の前部が台部の上面に弾性片を介して取り付けられているため、姿勢可変板を起立させて平板状の広告用可撓板を上がり傾斜姿勢に変形させる際に、上記変形に伴って弾性片も弾性変形するため、広告用可撓板が無理なく変形し、広告用可撓板，台部が損傷等しない。
【０００９】
本発明において、上記弾性片が平行四辺形状角筒体に形成され、この平行四辺形状角筒体の相対峙する両側面が、この平行四辺形角筒体の軸心に対し直交する方向に相対移動自在に構成され、上記両側面のうち、一方の側面が上記台部の上面に固定され、他方の側面が上記広告用可撓板の前部の下面に固定されている場合には、紙材，合成樹脂材等を用いて弾性片を簡単に作製することができる。
【００１０】
本発明において、上記姿勢保持手段が、姿勢可変板の下面に接着された固定板と、この固定板の上端部から折り曲げ自在に延設された支受板と、上記固定板の下端部から折り曲げ自在に延設された係合板とからなり、上記支受板に係合穴が穿設され、上記係合板に、上記係合穴に着脱自在に係合する係合片が突設されている場合には、上記姿勢保持手段が姿勢可変板に固定されており、全体として平べったい形状になる。
【００１１】
【発明の実施の形態】
つぎに、本発明の実施の形態を図面にもとづいて詳しく説明する。
【００１２】
図１は本発明の陳列台の一実施の形態を示している。図において、１は平べったい箱型（高さ２ｃｍ程度）に形成された台部であり、２は平板状薄紙製の広告板（広告用可撓板）である。上記台部１は、図２〜図５に示すように、二等辺三角形状に形成された平板状厚紙製の上側板５と、この上側板５に対応する二等辺三角形状に形成された平板状厚紙製の下側板６と、上下両側板５，６の後側縁部間に配設された平板状厚紙製の後側板７と、上下両側板５，６の右側傾斜縁部間および左側傾斜縁部に配設された平板状厚紙製の左右両側板８，９とからなり、上記上側板５の上面が化粧品等の陳列品３の載置面に形成されている。上記広告板２には、その前部に、陳列品３の底部を挿通する陳列品挿通穴２ａが穿設されている。図３において、１０は長方形状に形成された平板状厚紙製の突出板であり、この突出板１０と下側板６とで１枚の平板状厚紙が構成されている。
【００１３】
図６において、１１は折り曲げ自在に形成された姿勢可変部材であり、上記台部１の後側平板７に接着固定された平板状厚紙製の縦辺１２（図５参照）と、この縦辺１２の上端部に起立自在に連結された平板状厚紙製の横辺１３（姿勢可変板）とからなる。１５は姿勢保持手段であり、上記姿勢可変部材１１の横辺１３の下面に接着された平板状厚紙製の固定板１６と、この固定板１６の上端部から折り曲げ自在に延設された平板状厚紙製の支受板１７と、上記固定板１６の下端部から折り曲げ自在に延設された平板状厚紙製の係合板１８とからなる。また、上記支受板１７に係合穴１７ａが穿設されており、上記係合板１８に、上記係合穴１７ａに着脱自在に係合する係合片１８ａが突設されている。
【００１４】
そして、上記台部１の上側板５の上面前部に、平行四辺形状角筒体に形成された平板状薄紙製の支受部材（弾性片）２０の下辺部分が接着固定されており、この支受部材２０の上辺部分に上記広告板２の下面前部が接着固定されている。また、上記姿勢可変部材１１の横辺１３の上面後部に両面接着テープ２１（図２参照）の下面部分が接着固定されており、この両面接着テープ２１の上面部分に上記広告板２の下面後部が接着固定されている。
【００１５】
図５および図８において、２２は伸縮自在な固定手段であり、この固定手段２２を介して広告パネル４（図１参照）を上記姿勢可変部材１１の横辺１３の上面に固定している。なお、上記固定手段２２は、図５および図８以外では、図示せず。
【００１６】
上記構成において、輸送時や保管時等には、図５に示すように、上記姿勢可変部材１１の横辺１３を倒伏させた状態にしておく。この状態では、全体が平べったい形状であり、広いスペースを必要としない。一方、陳列時には、上記姿勢可変部材１１の横辺１３を起立させる。この起立に伴い、広告板２の後部が起立するとともに広告板２全体が前側に移動する。また、この移動により、支受部材２０も形状変化しながら（図７参照）前側に移動する。つぎに、支受部材２０が最大限度まで（すなわち、支受部材２０の形状が偏平になるまで）前側に移動すると、姿勢保持手段１５の支受板１７を下方に折り曲げ、係合板１８を上方に折り曲げたのち、上記支受板１７の係合穴１７ａに係合板１８の係合片１８ａを係合させ、支受板１７の下端部を突出板１０上に載置することを行う（図８参照）。これにより、上記姿勢可変部材１１の横辺１３の起立姿勢を保持することができる。また、固定手段２２を伸長させ、広告パネル４を前側に移動させることも行う（図７参照）。このようにして陳列台を組み立てたのち、陳列品３を広告板２の陳列品挿通穴２ａに挿通し、台部１の上側板５上に載置して、陳列品３を台部１の上側板５上に陳列することができる。
【００１７】
このように、上記実施の形態では、輸送時や保管時等には、姿勢可変部材１１の横辺１３を倒伏させておくことにより、全体を平べったい形状にしておくことができ、広いスペースを必要としない。また、陳列台の組み立て時には、上記姿勢可変部材１１の横辺１３を起立させたのち、姿勢保持手段１５の支受板１７の係合穴１７ａに係合板１８の係合片１８ａを係合させるだけでよく、組立作業が非常に簡単である。しかも、陳列台は１つの物品からなっており、在庫管理等の管理面が簡単化する。
【００１８】
なお、上記実施の形態において、姿勢保持手段１５，支受部材２０や固定手段２２として、各種構造のものを用いることができる。
【００１９】
【発明の効果】
以上のように、本発明の陳列台によれば、輸送時や保管時等には、姿勢可変板を倒伏姿勢にすることにより、陳列台全体が平べったい形状になり、広いスペースを必要としなくなる。また、陳列時には、姿勢可変板を起立させて姿勢保持手段で保持することにより本発明の陳列台を組み立てたのち、陳列品を広告用可撓板の陳列品挿通穴に挿通し、台部の陳列品載置面に載置することを行う。これにより、広告用可撓板に記載された広告とともに、陳列品を台部上に陳列することができる。このとき、上記組立作業は、姿勢可変板を起立させて姿勢保持手段で保持するだけでよく、非常に簡単である。しかも、上記姿勢保持手段を台部，姿勢可変板および広告用可撓板の少なくとも１つに固定することにより、１つの部品で構成することができる。
【００２０】
本発明では、上記広告用可撓板の前部が台部の上面に弾性片を介して取り付けられているため、姿勢可変板を起立させて平板状の広告用可撓板を上がり傾斜姿勢に変形させる際に、上記変形に伴って弾性片も弾性変形するため、広告用可撓板が無理なく変形し、広告用可撓板，台部が損傷等しない。
【００２１】
本発明において、上記弾性片が平行四辺形状角筒体に形成され、この平行四辺形状角筒体の相対峙する両側面が、この平行四辺形角筒体の軸心に対し直交する方向に相対移動自在に構成され、上記両側面のうち、一方の側面が上記台部の上面に固定され、他方の側面が上記広告用可撓板の前部の下面に固定されている場合には、紙材，合成樹脂材等を用いて弾性片を簡単に作製することができる。
【００２２】
本発明において、上記姿勢保持手段が、姿勢可変板の下面に接着された固定板と、この固定板の上端部から折り曲げ自在に延設された支受板と、上記固定板の下端部から折り曲げ自在に延設された係合板とからなり、上記支受板に係合穴が穿設され、上記係合板に、上記係合穴に着脱自在に係合する係合片が突設されている場合には、上記姿勢保持手段が姿勢可変板に固定されており、全体として平べったい形状になる。
【図面の簡単な説明】
【図１】本発明の陳列台の一実施の形態を示す説明図である。
【図２】上記陳列台の平面図である。
【図３】上記陳列台の底面図である。
【図４】上記陳列台の正面図である。
【図５】上記陳列台の側面図である。
【図６】姿勢可変部材と姿勢保持手段とを示す斜視図である。
【図７】本発明の作用を示す側面図である。
【図８】本発明の作用を示す側面図である。
【図９】従来の陳列台を示す斜視図である。
【符号の説明】
１  台部
２  広告板
２ａ  陳列品挿通穴
１３  横辺
【図１】
0003657848.tif 000002
【図２】
0003657848.tif 000003
【図３】
0003657848.tif 000004
【図４】
0003657848.tif 000005
【図５】
0003657848.tif 000006
【図６】
0003657848.tif 000007
【図７】
0003657848.tif 000008
【図８】
0003657848.tif 000009
【図９】
0003657848.tif 000010